(57)【要約】    【課題】停電により居室親機の電源部からの給電がバックアップ電池からの電源供給に切り替えられた停電時刻および電源部からの給電が復旧した停電終了時刻を記憶／表示する機能を備え、停電時における録画機能の動作停止時間を容易に確認する。    【解決手段】居室親機２ａおよび玄関子機１へと動作電源としての直流電源を給電するにあたり、停電により居室親機の電源部２４からの給電がバックアップ電池２５からの電源供給に切り替えられた停電時刻および電源部からの給電が復旧した停電終了時刻をＣＰＵ２７の制御により時計２９から読み取りメモリ３０に記憶させ、これらの時刻を停電復帰後においてメモリから読み出してモニタ２３に表示させる。また、停電時刻をメモリへと記憶させたＣＰＵの制御により、当該ＣＰＵの動作をスリープモード等の低消費電力動作に遷移させる、または当該ＣＰＵの動作を（自発的に）停止させてバックアップ電池の消耗を防止する。    【選択図】  図２
2005102091.tif 000002
【特許請求の範囲】
【請求項１】
玄関に設置されたカメラ（１１）を有する玄関子機（１）から住戸内に設置されたモニタ（２３）を有する居室親機（２ａ、２ｂ）を呼び出し、前記カメラにて撮像された来訪者の映像を前記居室親機に録画し、前記玄関子機および前記居室親機の間で前記来訪者の映像を前記モニタに出画しながら通話を行う録画機能付インターホン装置であって、
前記居室親機は、前記居室親機および前記玄関子機に給電するための電源部（２４）と、前記電源部から蓄電されて停電時に前記電源部からの給電に代えて電源供給を行うためのバックアップ電池（２５）と、通電時には前記電源部、停電時には前記バックアップ電池からそれぞれ電源供給され前記電源部を電源監視ライン（Ｌ2）を介して監視するためのＣＰＵ（２７）と、時刻を特定するための時計（２９）および前記ＣＰＵの監視により前記停電時に前記電源部からの電源供給が停止された停電時刻と停電終了時に前記電源部からの電源供給が復旧した停電終了時刻とを前記時計から読み取り記憶するためのメモリ（３０）と、停電復旧後に、前記メモリに記憶された前記停電時刻および前記停電終了時刻を表示するための前記モニタとを備えたことを特徴とする録画機能付インターホン装置。
【請求項２】
前記ＣＰＵは、前記メモリが前記停電時刻を記憶した後、スリープモード等の低消費電力動作に遷移して前記バックアップ電池の消耗を防止するための機能を有するものであることを特徴とする請求項１記載の録画機能付インターホン装置。
【請求項３】
前記ＣＰＵは、前記メモリが前記停電時刻を記憶した後、動作を停止させて前記バックアップ電池の消耗を防止するための機能を有するものであることを特徴とする請求項１記載の録画機能付インターホン装置。
【請求項４】
前記ＣＰＵは、前記メモリが前記停電時刻を記憶した後、前記ＣＰＵおよび前記メモリへの電源供給を停止させて前記バックアップ電池の消耗を防止するための機能を有するものであることを特徴とする請求項１記載の録画機能付インターホン装置。
【請求項５】
前記ＣＰＵは、前記メモリが前記停電時刻を記憶した後、前記メモリへの電源供給を停止させて前記バックアップ電池の消耗を防止するための機能を有するものであることを特徴とする請求項１記載の録画機能付インターホン装置。
【発明の詳細な説明】
【技術分野】
【０００１】
本発明は、映像の録画機能を有するインターホン装置に係り、特に、当該装置への給電状態および停電状態を監視し、停電時刻および停電終了時刻を記憶／表示する機能を備えた録画機能付インターホン装置に関する。
【背景技術】
【０００２】
従来から、映像の録画機能を有するインターホン装置として、図４のブロック図に示すように、住戸内に設置された居室親機５２および玄関に設置された玄関子機５１へと当該居室親機の電源部６０からの直流電源が給電される通電時において、ＣＰＵ６２の制御により玄関子機５１のカメラ（図示せず）にて撮像された映像に時計６３にて計時された時刻を割り当ててメモリ６４に録画させ、再生時においてメモリ６４から読み出した映像および時刻をモニタ６５に表示させることができる。一方、居室親機５２の電源部６０からの給電が遮断された停電時において、電源部６０からの給電をバックアップ電池６１からの電源供給に切り替え、このバックアップ電池６１からの電源供給が時計６３のみを動作させて計時誤差の発生を防止する録画機能付インターホン装置が提案されている。
【０００３】
なお、従来例の録画機能付インターホン装置については、記載すべき先行技術文献情報はない。
【発明の開示】
【発明が解決しようとする課題】
【０００４】
しかしながら、従来例の録画機能付インターホン装置において、図４のブロック図に示す居室親機５２の電源部６０からの給電がバックアップ電池６１からの電源供給に切り替えられた停電時には、メモリ６４が動作せず停電の継続時間の確認も困難であるため、住戸内に在室中の居住者にとっては、来訪者が実際に居なかったのか、または来訪者が居たのにも拘わらず停電によりメモリ６４に録画されなかったのかの確認ができない難点があった。
【０００５】
本発明は、上述の難点を解消するためになされたもので、停電により居室親機の電源部からの給電がバックアップ電池からの電源供給に切り替えられた停電時刻および電源部からの給電が復旧した停電終了時刻を記憶／表示する機能を備え、停電時における録画機能の動作停止時間を容易に確認することができる録画機能付インターホン装置を提供することを目的としている。
【課題を解決するための手段】
【０００６】
上述の目的を達成するため、本発明の第１の態様である録画機能付インターホン装置は、玄関に設置されたカメラを有する玄関子機から住戸内に設置されたモニタを有する居室親機を呼び出し、玄関子機のカメラにて撮像された来訪者の映像を居室親機に録画し、玄関子機および居室親機の間でモニタに来訪者の映像を出画しながら通話を成立させる当該装置である。居室親機は、居室親機および玄関子機に給電するための電源部と、電源部から蓄電されて停電時に電源部からの給電に代えて電源供給を行うためのバックアップ電池と、通電時には電源部、停電時にはバックアップ電池からそれぞれ電源供給され電源部を電源監視ラインを介して監視するためのＣＰＵと、時刻を特定するための時計およびＣＰＵの監視により停電時に電源部からの給電が停止された停電時刻と停電終了時に電源部からの給電が復旧した停電終了時刻とを時計から読み取り記憶するためのメモリと、停電復旧後に、メモリに記憶された停電時刻および停電終了時刻を表示するための表示部とを備えている。
【０００７】
また、本発明の第２の態様は本発明の第１の態様である録画機能付インターホン装置において、ＣＰＵは、メモリが停電時刻を記憶した後、スリープモード等の低消費電力動作に遷移してバックアップ電池の消耗を防止するための機能を有するものである。
【０００８】
また、本発明の第３の態様は本発明の第１の態様である録画機能付インターホン装置において、ＣＰＵは、メモリが停電時刻を記憶した後、動作を停止させてバックアップ電池の消耗を防止するための機能を有するものである。
【０００９】
また、本発明の第４の態様は本発明の第１の態様である録画機能付インターホン装置において、ＣＰＵは、メモリが停電時刻を記憶した後、ＣＰＵおよびメモリへの電源供給を停止させてバックアップ電池の消耗を防止するための機能を有するものである。
【００１０】
また、本発明の第５の態様は本発明の第１の態様である録画機能付インターホン装置において、ＣＰＵは、メモリが停電時刻を記憶した後、メモリへの電源供給を停止させてバックアップ電池の消耗を防止するための機能を有するものである。
【発明の効果】
【００１１】
本発明の録画機能付インターホン装置によれば、住戸内に設置された居室親機および玄関に設置された玄関子機へと動作電源としての直流電源を給電するにあたり、停電により居室親機の電源部からの給電がバックアップ電池からの電源供給に切り替えられた停電時刻および電源部からの給電が復旧した停電終了時刻をＣＰＵの制御により時計から読み取りメモリに記憶させ、これらの時刻を停電復旧後においてメモリから読み出してモニタに表示させることができることから、住戸内に在室中の居住者にとっては、停電時における録画機能の動作停止時間の確認、すなわち、来訪者が居たのにも拘わらず停電によりメモリに録画されなかった可能性のある時間の確認が容易となる。
【００１２】
また、本発明の録画機能付インターホン装置によれば、停電時刻をメモリへと記憶させたＣＰＵの制御により、当該ＣＰＵの動作をスリープモード等の低消費電力動作に遷移させることができ、商用電源（ＡＣ１００Ｖ）からの通電が遮断された停電時に電源供給を行うバックアップ電池の消耗が防止される。
【００１３】
また、本発明の録画機能付インターホン装置によれば、停電時刻をメモリへと記憶させたＣＰＵの制御により、当該ＣＰＵの動作を（自発的に）停止させる、または当該ＣＰＵおよびメモリへの電源供給を停止させる、或いはメモリへの電源供給を停止させることができ、商用電源（ＡＣ１００Ｖ）からの通電が遮断された停電時に電源供給を行うバックアップ電池の消耗が防止される。
【発明を実施するための最良の形態】
【００１４】
以下、本発明の録画機能付インターホン装置を適用した最良の実施の形態例について、図面を参照して説明する。
【００１５】
図１は、本発明の実施例による録画機能付インターホン装置を示すシステム構成図である。
【００１６】
図１のシステム構成図に示す録画機能付インターホン装置は、玄関に設置され、来訪者が住戸内に在室中の居住者を呼び出すために操作する呼出ボタン１０、呼出操作を行った来訪者の映像（玄関および当該玄関の周囲近傍の映像を含む）を撮像するためのカメラ１１、来訪者が居住者との間で通話を成立させるための音声を送受信するマイク（以下、子機マイクという。）１２およびスピーカ（以下、子機スピーカという。）１３を有する玄関子機１と、住戸内に設置され、伝送線路Ｌ1を介して接続された玄関子機１からの呼び出し、すなわち、来訪者からの呼び出しがあることを示す呼出音を放音するとともに、居住者が来訪者との間で通話を成立させるための音声を受信するスピーカ（以下、親機スピーカという。）２０、同様に居住者が来訪者との間で通話を成立させるための音声を送信するマイク（以下、親機マイクという。）２１、居住者が来訪者からの呼び出しに応答するために操作する通話ボタン２２、玄関子機１のカメラ１１にて撮像された映像を出画するとともに、後述する各種時刻を表示するためのＬＣＤ（Liquid Crystal Display）、有機ＥＬ（Electro Luminescence）等のモニタ２３を有する居室親機２ａ、２ｂとから構成されており、以下、居室親機２ａを当該居室親機の第１の構成例、居室親機２ｂを当該居室親機の第２の構成例とする。
【００１７】
図２は、本発明の実施例による録画機能付インターホン装置において、第１の構成例としての居室親機２ａの構成を示す回路ブロック図である。
【００１８】
図２の回路ブロック図に示す居室親機２ａには、当該居室親機の構成各部および伝送線路Ｌ1を介して接続された同図および図１のシステム構成図に示す玄関子機１の構成各部を動作させるための動作電源として、通電時において商用電源（ＡＣ１００Ｖ）について整流／平滑させた直流電源を給電するための電源部２４と、通電時において電源部２４からの直流電源が蓄電され、停電時のように電源部２４からの給電が遮断された場合に、予め蓄電されていた直流電源を当該居室親機の構成各部を動作させるための動作電源として電源供給するためのバックアップ電池２５と、停電時においてバックアップ電池２５から電源部２４への電源供給に伴う直流電流の逆流を防止するための逆流防止ダイオード２６と、当該居室親機の構成各部を制御するとともに、電源監視ラインＬ2を介して接続された電源部２４の動作状態、すなわち、給電状態または停電状態の相違を監視するためのＣＰＵ２７と、図１のシステム構成図に示す親機スピーカ２０、親機マイク２１、通話ボタン２２が構成部となる呼出報知・通話部２８と、玄関子機１からの呼び出しがあった呼出時刻や停電により電源部２４からの給電がバックアップ電池２５からの電源供給に切り替えられた停電時刻および電源部２４からの給電が復旧した停電終了時刻を特定／計時するための時計２９と、玄関子機１のカメラ１１にて撮像された来訪者の映像を録画するとともに、上述の呼出時刻や停電時刻および停電終了時刻を記憶するためのメモリ３０と、玄関子機１のカメラ１１にて撮像された映像またはメモリ３０に予め記憶されていた映像を出画するとともに、メモリ３０に予め記憶されていた停電時刻および停電終了時刻を表示するための上述のモニタ２３とが備えられている。
【００１９】
このように、図２の回路ブロック図に示す第１の構成例としての居室親機２ａを適用させた録画機能付インターホン装置において、以下、具体的な動作について説明する。
【００２０】
図２の回路ブロック図に示す居室親機２ａの電源部２４は、通電時において、商用電源（ＡＣ１００Ｖ）について整流／平滑させた直流電源を逆流防止ダイオード２６からバックアップ電池２５へと給電し当該バックアップ電池に蓄電させるとともに、この直流電源を、モニタ２３、呼出報知・通話部２８の構成各部と、逆流防止ダイオード２６を介してＣＰＵ２７、時計２９、メモリ３０の構成各部と、伝送線路Ｌ1を介して同図および図１のシステム構成図に示す玄関子機１とへそれぞれ動作電源として給電している。
【００２１】
上述の通電時において、玄関に居る来訪者が住戸内に在室中の居住者を呼び出すために、図１のシステム構成図に示す玄関子機１の呼出ボタン１０を操作すると、カメラ１１が駆動し、来訪者による呼び出しがあった旨の呼出信号にカメラ１１にて撮像された来訪者の映像信号を付加させた呼出・映像信号が伝送線路Ｌ1を介して居室親機２ａへと伝送される。
【００２２】
また、図２の回路ブロック図において、居室親機２ａのＣＰＵ２７は、玄関子機１からの呼出・映像信号に付加されている呼出信号に基づいて来訪者からの呼び出しがあることを検出し、呼出報知・通話部２８を構成する図１のシステム構成図に示す親機スピーカ２０から呼出音を放音させるとともに、呼出・映像信号に付加されている映像信号を適宜、信号処理して同図および図１のシステム構成図に示すモニタ２３に呼出操作を行った来訪者の映像（玄関および当該玄関の周囲近傍の映像を含む）を出画させ、併せて、時計２９にて計時されている時刻から来訪者による呼出時刻を読み取り、この呼出時刻に上述の映像信号を割り当ててメモリ３０に（自動的に）録画させることができる。
【００２３】
さらに、図１のシステム構成図において、通電時における居室親機２ａの親機スピーカ２０からの呼出音の放音およびモニタ２３に出画された映像により、来訪者からの呼び出しがあることを当該来訪者の判別、呼出時刻とともに確認した居住者が通話ボタン２２を操作して応答すると、居住者が使用する親機スピーカ２０および親機マイク２１と伝送線路Ｌ1を介して来訪者が使用する玄関子機１の子機マイク１２および子機スピーカ１３との間の通話ラインが形成され、形成された通話ラインを介して音声信号を送受信させることにより通話が成立し、特に、居住者にとっては来訪者の映像を確認（モニタ）しながら通話を行うことができる。
【００２４】
一方、商用電源（ＡＣ１００Ｖ）からの通電が遮断されると、図２の回路ブロック図に示す居室親機２ａの電源部２４からモニタ２３、呼出報知・通話部２８の構成各部と、逆流防止ダイオード２６を介してＣＰＵ２７、時計２９、メモリ３０の構成各部と、伝送線路Ｌ1を介して同図および図１のシステム構成図に示す玄関子機１とへの給電が停止された停電状態となり、この停電状態を電源監視ラインＬ2を検出したＣＰＵ２７は、バックアップ電池２５から放電させた直流電源、すなわち、上述の通電時に予め蓄電されていた直流電源をＣＰＵ２７、時計２９、メモリ３０の構成各部へそれぞれ動作電源として電源供給するとともに、停電により電源部２４からの給電がバックアップ電池２５からの電源供給に切り替えられた停電時刻を時計２９から読み取り、この停電時刻をメモリ３０に記憶させることができる。
【００２５】
なお、上述の停電時において、図２の回路ブロック図に示す居室親機２ａのバックアップ電池２５から放電された直流電源は、逆流防止ダイオード２６の作用により電源部２４へと電源供給されることはない。
【００２６】
また、上述の停電時において、図２の回路ブロック図に示す居室親機２ａの電源部２４からの給電をバックアップ電池２５からの電源供給に切り替え、時計２９から読み取った停電時刻をメモリ３０に記憶させたＣＰＵ２７は、当該ＣＰＵの動作をスリープモード等の低消費電力動作に遷移、または当該ＣＰＵの動作を（自発的に）停止することにより、商用電源（ＡＣ１００Ｖ）からの通電が遮断された停電時に電源供給を行うバックアップ電池２５の消耗が防止される。
【００２７】
次に、上述の停電が終了した停電終了時において、図２の回路ブロック図に示す居室親機２ａのＣＰＵ２７は、電源監視ラインＬ2を介して接続された電源部２４が停電状態から通電状態に復旧したことを検出し、ＣＰＵ２７、時計２９、メモリ３０の構成各部へとそれぞれ動作電源を電源供給する給電元をバックアップ電池２５から電源部２４に切り替えるように制御するとともに、停電終了時刻を時計２９から読み取り、この停電終了時刻をメモリ３０に記憶させ、停電復旧後においてメモリ３０から読み出した停電時刻および停電終了時刻をモニタ２３に表示させて住戸内に在室中の居住者に報知することができる。これにより、住戸内に在室中の居住者にとっては、停電時における録画機能の動作停止時間の確認、すなわち、来訪者が居たのにも拘わらず停電によりメモリ３０に録画されなかった可能性のある時間の確認が容易となる。
【００２８】
なお、上述の説明では、商用電源（ＡＣ１００Ｖ）からの通電が遮断された停電時において電源供給を行うバックアップ電池２５の消耗を防止し、停電復旧後においてメモリ３０から読み出した停電時刻および停電終了時刻をモニタ２３に出画させることができる居室親機として、図２の回路ブロック図に示す第１の構成例としての居室親機２ａを適用したが、これに限定されず、図３の回路ブロック図に示す第２の構成例としての居室親機２ｂも好適とされる。
【００２９】
図３の回路ブロック図に示す居室親機２ｂには、上述のモニタ２３、電源部２４、バックアップ電池２５、逆流防止ダイオード２６、ＣＰＵ２７、呼出報知・通話部２８、時計２９、メモリ３０と、エミッタがバックアップ電池２５および逆流防止ダイオード２６に、コレクタおよびベースがＣＰＵ２７にそれぞれ接続され、バックアップ電池２５からＣＰＵ２７への電源供給ラインを当該ＣＰＵの制御により形成／遮断するためのトランジスタ（以下、第１のトランジスタという。）３１ａと、エミッタがバックアップ電池２５および逆流防止ダイオード２６に、コレクタがメモリ３０に、ベースがＣＰＵ２７にそれぞれ接続され、バックアップ電池２５からメモリ３０への電源供給ラインをＣＰＵ２７の制御により形成／遮断するためのトランジスタ（以下、第２のトランジスタという。）３１ｂとが備えられている。
【００３０】
このように、図３の回路ブロック図に示す第２の構成例としての居室親機２ｂを適用させた録画機能付インターホン装置において、以下、具体的な動作について説明する。
【００３１】
図３の回路ブロック図に示す居室親機２ｂの電源部２４は、通電時において、商用電源（ＡＣ１００Ｖ）について整流／平滑させた直流電源を逆流防止ダイオード２６からバックアップ電池２５へと給電し当該バックアップ電池に蓄電させるとともに、この直流電源を、モニタ２３、呼出報知・通話部２８の構成各部と、逆流防止ダイオード２６からオン状態の第１のトランジスタ３１ａを介してＣＰＵ２７と、逆流防止ダイオード２６を介して時計２９と、逆流防止ダイオード２６からオン状態の第２のトランジスタ３１ｂを介してメモリ３０と、伝送線路Ｌ1を介して同図および図１のシステム構成図に示す玄関子機１とへそれぞれ動作電源として給電している。
【００３２】
一方、商用電源（ＡＣ１００Ｖ）からの通電が遮断されると、図３の回路ブロック図に示す居室親機２ｂの電源部２４から逆流防止ダイオード２６、オン状態の第１のトランジスタ３１ａを介してＣＰＵ２７と、電源部２４から逆流防止ダイオード２６を介して時計２９と、電源部２４から逆流防止ダイオード２６、オン状態の第２のトランジスタ３１ｂを介してメモリ３０と、電源部２４から伝送線路Ｌ1を介して同図および図１のシステム構成図に示す玄関子機１とへの給電が停止された停電状態となり、この停電状態を電源監視ラインＬ2を検出したＣＰＵ２７は、バックアップ電池２５から放電させた直流電源、すなわち、上述の通電時に予め蓄電されていた直流電源を上述のオン状態の第１のトランジスタ３１ａを介してＣＰＵ２７と、時計２９と、オン状態の第２のトランジスタ３１ｂを介してメモリ３０とへそれぞれ動作電源として電源供給するとともに、停電により電源部２４からの給電がバックアップ電池２５からの電源供給に切り替えられた停電時刻を時計２９から読み取り、この停電時刻をメモリ３０に記憶させることができる。
【００３３】
なお、上述の停電時において、図３の回路ブロック図に示す居室親機２ｂのバックアップ電池２５から放電された直流電源は、逆流防止ダイオード２６の作用により電源部２４へと電源供給されることはない。
【００３４】
また、上述の停電時において、図３の回路ブロック図に示す居室親機２ｂの電源部２４からの給電をバックアップ電池２５からの電源供給に切り替え、時計２９から読み取った停電時刻をメモリ３０に記憶させたＣＰＵ２７は、第１、第２の各トランジスタ３１ａ、３１ｂをオフ状態に切り替えることにより、バックアップ電池２５からＣＰＵ２７、メモリ３０への電源供給ラインがそれぞれ遮断されることにより、商用電源（ＡＣ１００Ｖ）からの通電が遮断された停電時に電源供給を行うバックアップ電池２５の消耗が防止される。
【００３５】
さらに、上述の通電時において、玄関に居る来訪者が住戸内に在室中の居住者を呼び出して通話を成立させるための動作は、第１の構成例としての居室親機２ａを適用させた場合の通電時の動作と同様であることから説明は省略する。
【００３６】
次に、上述の停電が終了した停電終了時において、図３の回路ブロック図に示す居室親機２ｂのＣＰＵ２７は、電源監視ラインＬ2を介して接続された電源部２４が停電状態から通電状態に復旧したことを検出し、ＣＰＵ２７、時計２９、メモリ３０の構成各部へそれぞれ動作電源を電源供給する給電元をバックアップ電池２５から電源部２４に切り替えるように制御するとともに、停電終了時刻を時計２９から読み取り、この録画終了時刻をメモリ３０に記憶させ、停電復旧後においてメモリ３０から読み出した停電時刻および停電終了時刻をモニタ２３に表示させて住戸内に在室中の居住者に報知することができる。これにより、住戸内に在室中の居住者にとっては、停電時における録画機能の動作停止時間の確認、すなわち、来訪者が居たのにも拘わらず停電によりメモリ３０に録画されなかった可能性のある時間の確認が容易となる。
【００３７】
なお、本発明の実施例による録画機能付インターホン装置において、第２の構成例としての居室親機２ｂを適用するにあたり、バックアップ電池２５からＣＰＵ２７、メモリ３０へのそれぞれの電源供給ラインをＣＰＵ２７の制御により形成／遮断するために第１、第２の２つのトランジスタ３１ａ、３１ｂを適用したが、当該トランジスタは２つに限定されず、何れか一方のトランジスタのみを適用し、そのトランジスタのエミッタをバックアップ電池２５および逆流防止ダイオード２６に、コレクタをＣＰＵ２７およびメモリ３０に、ベースをＣＰＵ２７にそれぞれ接続させた場合でも、上述の実施例と同様な効果を奏する。
【００３８】
また、本発明の実施例による録画機能付インターホン装置においては、第２の構成例としての居室親機２ｂを適用するにあたり、バックアップ電池２５からＣＰＵ２７、メモリ３０へのそれぞれの電源供給ラインをＣＰＵ２７の制御により形成／遮断するために第１、第２の２つのトランジスタ３１ａ、３１ｂを適用したが、第１のトランジスタ３１ａを削除して逆流防止ダイオード２６とＣＰＵ２７とを直接接続し、停電時においてＣＰＵ２７の動作をスリープモード等の低消費電力動作に遷移させた場合でも、上述の実施例と同様な効果を奏する。
【００３９】
また、本発明の実施例による録画機能付インターホン装置においては、第１、第２の各構成例としての居室親機２ａ、２ｂの通話部として居住者が来訪者との間で通話を成立させるために使用する親機スピーカ２０、親機マイク２１、通話ボタン２２からなる拡声通話部を適用させたが、当該通話部はこれに限定されず、親機スピーカ２０では呼出音のみを放音させ、居住者が来訪者との間でハンドセット通話を成立させるために使用するハンドセットからなるハンドセット通話部も好適とされる。
【図面の簡単な説明】
【００４０】
【図１】図１は、本発明の実施例による録画機能付インターホン装置を示すシステム構成図である。
【図２】図２は、本発明の実施例による録画機能付インターホン装置において、第１の構成例としての居室親機の構成を示す回路ブロック図である。
【図３】図３は、本発明の実施例による録画機能付インターホン装置において、第２の構成例としての居室親機の構成を示す回路ブロック図である。
【図４】図４は、従来例の録画機能付インターホン装置において、居室親機の構成を示す回路ブロック図である。
【符号の説明】
【００４１】
１……玄関子機
１１……カメラ
２ａ、２ｂ……居室親機
２３……モニタ
２４……電源部
２５……バックアップ電池
２７……ＣＰＵ
２９……時計
３０……メモリ
【図１】
2005102091.tif 000003
【図２】
2005102091.tif 000004
【図３】
2005102091.tif 000005
【図４】
2005102091.tif 000006